(57)【特許請求の範囲】
【請求項１】
グループのメンバの頭部に装着される配置体であって、
ａ）２つのサイドエッジ（Ｂ１ａ，Ｂ１ｂ）を有する、少なくとも１つのバナー（Ｂ１）と、
ｂ）少なくとも２つの頭部装着物（Ｋ１１，Ｋ１２）であって、それぞれが、少なくとも１つの保持手段（Ｋ１１ｃ，Ｋ１２ｃ）を外側（Ｋ１１ｂ，Ｋ１２ｂ）に有しており、前記バナー（Ｂ１）は、個人により装着される当該頭部装着物（Ｋ１１，Ｋ１２）が当該バナー（Ｂ１）の布（Ｂ１ｃ）によって互いに接続されるように前記サイドエッジ（Ｂ１ａ，Ｂ１ｂ）を介して前記保持手段（Ｋ１１ｃ，Ｋ１２ｃ）へと固定可能である、少なくとも２つの頭部装着物（Ｋ１１，Ｋ１２）と、
を備える、配置体。
【請求項２】
請求項１に記載の配置体において、保持手段（Ｋ１１ｃ，Ｋ１２ｃ）は、前記バナー（Ｂ１）の前記布（Ｂ１ｃ）に引張力が生じた場合に当該バナー（Ｂ１）が対象の前記頭部装着物（Ｋ１１，Ｋ１２）から外れるように脱着可能である、配置体。
【請求項３】
請求項１または２に記載の配置体において、保持手段（Ｋ１１ｃ，Ｋ１２ｃ）は、少なくとも１つのバナー（Ｂ１）がサイドエッジ（Ｂ１ａ，Ｂ１ｂ）で固定されるフック・ループ帯体を有する、配置体。
【請求項４】
請求項３に記載の配置体において、バナー（Ｂ１）は、一つのサイドエッジ（Ｂ１ａ，Ｂ１ｂ）に、保持手段における前記フック・ループ帯体と係合する、相手方のフック・ループ帯体を有する、配置体。
【請求項５】
請求項１または２に記載の配置体において、保持手段は、頭部装着物（Ｋ２１，Ｋ２２，Ｋ２３，Ｋ２４，Ｋ２５）の外側に、保持棒（Ｋ２１ｂ，Ｋ２２ｂ，Ｋ２３ｂ，Ｋ２４ｂ，Ｋ２５ｂ）を有する、配置体。
【請求項６】
請求項５に記載の配置体において、保持棒は、頭部装着物の前記外側に脱着可能に取り付けられている、配置体。
【請求項７】
請求項５または６に記載の配置体において、保持棒は、頭部装着物（Ｋ２１，Ｋ２２，Ｋ２３，Ｋ２４，Ｋ２５）の前記外側へと最も高い箇所に取り付けられている、配置体。
【請求項８】
請求項５または６に記載の配置体において、保持棒（Ｋ３１ｂ，Ｋ３２ｂ）は、頭部装着物（Ｋ３１，Ｋ３２）の前記外側へと耳領域で取り付けられている、配置体。
【請求項９】
請求項５から８のいずれか一項に記載の配置体において、バナーのサイドエッジは、保持棒へと取り付けられることが可能である、配置体。
【請求項１０】
請求項５から９のいずれか一項に記載の配置体において、保持棒は、ばね弾性的に曲げ可能な材料で構成されている、配置体。
【請求項１１】
請求項５から１０のいずれか一項に記載の配置体において、保持棒（Ｋ５１ｂ，Ｋ５２ｂ）は、巻付手段（Wickelmittel）（Ｋ５１ｃ，Ｋ５１ｄ；Ｋ５２ｃ，Ｋ５２ｄ）を有しており、当該巻付手段（Ｋ５１ｃ，Ｋ５１ｄ；Ｋ５２ｃ，Ｋ５２ｄ）により、バナー（Ｂ５１，Ｂ５２，Ｂ５３）の前記サイドエッジが、当該バナー（Ｂ５１，Ｂ５２，Ｂ５３）の前記布の引張力が減少した場合に自働的に巻かれる、配置体。
【請求項１２】
請求項５から１１のいずれか一項に記載の配置体において、少なくとも１つの保持棒（Ｋ３１，Ｋ３２ｃ）が延長可能である、配置体。
【請求項１３】
請求項１２に記載の配置体において、少なくとも１つの保持棒（Ｋ３１ｃ，Ｋ３２ｃ）は、入れ子式の棒である、配置体。
【請求項１４】
請求項１から１３のいずれか一項に記載の配置体において、バナー（Ｂ１）の前記布（Ｂ１ｃ）は、少なくとも１つの弾性的に伸縮可能な領域（Ｂ１ｄ）を有する、配置体。
【請求項１５】
請求項１から１４のいずれか一項に記載の配置体において、頭部装着物（Ｋ１１，Ｋ１２；Ｋ２１…２５；Ｋ３１，Ｋ３２；Ｋ５１，Ｋ５２）は、ひさし付きキャップ（Ｋ１１ａ，Ｋ１２ａ；Ｋ２１ａ…Ｋ２５ａ；Ｋ３１ａ，Ｋ３２ａ；Ｋ５１ａ，Ｋ５２ａ）の形態である、配置体。
【請求項１６】
請求項１から１４のいずれか一項に記載の配置体において、頭部装着物（Ｋ４１，Ｋ４２）は、ヘッドバンド（Ｋ４１ａ，Ｋ４２ａ）の形態である、配置体。
【請求項１７】
請求項１から１４のいずれか一項に記載の配置体において、頭部装着物（Ｋ６１，Ｋ６２）は、シリンダーハット（Ｋ６１ａ；Ｋ６１ｂ）の形態である、配置体。
【請求項１８】
請求項１７に記載の配置体において、シリンダーハット（Ｋ６１ａ；Ｋ６１ｂ）は、少なくとも１つの巻付領域（Ｋ６１ｃ，Ｋ６１ｄ；Ｋ６２ｃ，Ｋ６２ｄ）を有する側面（Ｋ６１ｂ，Ｋ６２ｂ）を有しており、前記少なくとも１つの巻付領域（Ｋ６１ｃ，Ｋ６１ｄ；Ｋ６２ｃ，Ｋ６２ｄ）回りに、少なくとも１つのバナー（Ｂ６１，Ｂ６２，Ｂ６３）の前記サイドエッジが導かれる、配置体。 
【発明の詳細な説明】
【技術分野】
【０００１】
本発明は、グループのメンバの頭部に装着される配置体(Anordnung)に関する。
【背景技術】
【０００２】
プラカードや旗やバナーは、人々によって掲げ見せられることにより、情報を他の第三者に見えるようにすることが可能なものである。ここで、そのような情報は、幅広い様々な目的を果たし得て、例えば、広告宣伝的な内容を含むものであったり、特定の性質又は共通点を持つグループに個人が所属していることを表すものであったりし得る。このときに直面する問題として、これらプラカード等は通常支柱や棒に固定されているので、上げた位置に掲げられるようにするためには、個人が手で高いところに維持しなければならない点が挙げられる。
【０００３】
さらに、例えば、事情によっては極めて多数の人々が集まり得る大きなイベント等の場合、対象のそのイベントに合わせて特別に作られた装飾品が設けられた衣服を、見物人や参加者が身に着けることがよくある。例えば、フットボールや野球やバスケットボールの試合などのスポーツイベント、音楽イベント（例えば、野外フェスティバル等）、さらには、集会やデモ等では、それに応じて装飾された、例えばジャンパー、シャツ、バンダナ、スカーフ、キャップ等が身に着けられる。このようにして人々は、例えばスポーツチーム、労働組合などの利益団体、政党等への支持を表すことができる。しかし、これにまつわる短所として、この種の衣服やそれに設けられた装飾品が隠れてしまう可能性があること、特に、人々が密接して互いに押し合うような大人数で立っている場合に隠れてしまう可能性があることが挙げられる。
【０００４】
特許文献１には、少なくとも２つの布帛部位で構成される広告宣伝用伸縮性布帛が開示されている。それら布帛部位には文字又はイメージが設けられ得て、かつ、それぞれの布帛部位が少なくとも１つの布帛縁部に片方ファスナー（ファスナーの片方）を有し得る。片方ファスナー同士を閉めることにより、個々の布帛部位同士を、対応する布帛縁部に沿って連結することが可能である。これにより、複数の個々の布帛部位を互いに鎖状につなぐことができ、かつ、任意の個々の布帛部位を簡単に交換することができる。
【０００５】
また、特許文献２には、旗を自動二輪車用ヘルメットに固定するための配置体が記載されている。この目的のために、プロファイルされた溝が、その自動二輪車用ヘルメットのヘルメット・シェルの後頭領域にこの輪郭に沿うようにして設けられている。旗は、一つのエッジにプロファイルレールを有している。これにより、この旗を、上記自動二輪車用ヘルメットの上記プロファイル溝へと挿入することが可能である。これは、上記ヘルメット・シェルへの上記旗の簡単な固定及び交換を可能にしている。
【０００６】
また、特許文献３から、頭部装着物（例えば、野球帽等）のひさしに固定するための旗配置体が知られている。この配置体は、旗を有する少なくとも１つの細長い棒を備え、この細長い棒が、固定手段によって頭部装着物のひさしに固定される。この棒は、そのひさしから上方へと略垂直に向けられる。他にも、そのひさしに固定された２つの棒間に、バナーを挟持することも可能である。したがって、このように保持された旗やバナーは、頭部装着物の上方において遮られることなく見ることができる。
【０００７】
特許文献４には、旗が固定される少なくとも１つの旗竿を備える配置体が開示されている。このような旗竿は、クリップにより、車両の車体パネル上の例えば荷室カバー等へとその下端部で保持され得る。車両の上方において、この種の２つの旗竿間にバナーを挟持させることが可能である。
【先行技術文献】
【特許文献】
【０００８】
【特許文献１】西独国実用新案出願公開第１９３０６６４号明細書
【特許文献２】米国特許出願公開第２００６／００２１１１７号明細書
【特許文献３】米国特許第５８８１３９１号明細書
【特許文献４】米国特許第９０１００００号明細書
【発明の概要】
【発明が解決しようとする課題】
【０００９】
本発明の目的は、人々のグループが、例えば共同の関心事項等を第三者に明確に見せることを簡単に可能にする配置体を提供することである。
【課題を解決するための手段】
【００１０】
上記の目的は、請求項１の配置体により達成される。本発明の有利なさらなる実施形態は、従属請求項にて特定されている。
【００１１】
本発明にかかる配置体は、グループのメンバの頭部に装着されることが可能である。この配置体は、２つのサイドエッジを有する、少なくとも１つのバナー(Streifenfahne)と、少なくとも２つの頭部装着物（ヘッドギア）であって、それぞれが、少なくとも１つの保持手段を外側に有している、少なくとも２つの頭部装着物とを備える。前記バナーは、前記頭部装着物が当該バナーの布によって互いに接続されるように前記サイドエッジを介して前記保持手段へと固定可能である。
【００１２】
本発明は、人々が連帯していることを、関わっている人々が身体的努力をせずとも且つ持続して、第三者に明確に見せることができるという利点を奏する。ここで、本発明にかかる配置体は、様々な大きさのグループに対して用いることが可能である。本発明によれば、隣同士で立っているたった２人の人間に対しても、バナーにより互いに接続される頭部装着物を与えることが可能である。他にも、互いの空間的近傍に止まっていて且つこれによりグループを形成している多数の人間についても、このようにして互いに繋げることが可能である。
【００１３】
にもかかわらず、２人の人間のあいだに位置したバナーの適切な長さを決める際に、個人の運動の自由はほとんど制限されない。よって、事実、本発明にかかる配置体によって互いに繋げられた大きなグループ内の個人であっても、各個が物理的に散らばることができて且つ位置を入れ替えることも全く容易にできる。グループの個人は、大勢の人間の中で各自並び変わることができ、例えば、鎖、円、星または他の幾何学的形状、標章の輪郭等を形作ることが可能である。他にも、特にバナー又はバナーの布の表面は、目下のイベントに各個合わせられたグラフィックデザインを有したり、そのようなデザインの担体（Traeger）として機能したりし得る。
【００１４】
本発明にかかる配置体は、大勢の人間が例えばアリーナやスタジアムでのスポーツイベントや音楽イベント、デモンストレーションの範疇での集会等の大きなイベントに参加するときに極めて有利に利用可能である。具体的に述べると、例えば小規模のグループに属しているメンバ等が、本発明にかかる配置体により例えばバナーの各個の情報等によって、連帯していることを第三者に明確に見せることができる。例えば、地元もしくは地域の共同の関心事項の詳細および／または特定のサービス提供の詳細等が発信され得る。本発明は、対応するバナーに表示されたグループ情報（通常、各個異なる）を備える配置体を、特定のイベントに合わせて作られたＴシャツ、ジャンパーなどの衣服に素早く追加できるというさらなる利点を奏する。
【００１５】
本発明の好ましいさらなる実施形態において、保持手段は、少なくとも１つの頭部装着物に脱着可能に形成されている。この構成によれば、バナーの布に過剰に大きい引張力が生じるや否や、当該バナーを、対応する前記頭部装着物から外れるようにさせることができる。
【００１６】
この種の脱着可能な接続は数多くの利点を提供する。具体的に述べると、バナーを、内容表記やデザインが変更された他のバナーと簡単に交換することができる。他にも、本発明のこの実施形態は、事故に対する向上した保護も提供する。具体的に述べると、このようなバナーのサイドエッジは、例えば第三者が当該バナーに引っかかったり頭部装着物を装着しているグループのメンバが誤って互いから離れ過ぎたりした場合等に、頭部装着物から自動的に外れることが可能である。これにより、バナーが破れたり当該バナーに接続された頭部装着物が当該頭部装着物を装着している個人の頭部から制御不能に引っ張り落とされたりするというリスクを減らすことも可能である。他にも、本発明のこのような実施形態により、本発明にかかる配置体によって繋がった人間のグループに組み込んだり当該グループから切り離したりすることが楽に且つ素早く行えるので、人の数を増減させることが容易になる。
【００１７】
この目的のために、極めて有利には、少なくとも１つの頭部装着物における保持手段は、フック・ループ帯体（Klettverschlussstreifen）を有しており、少なくとも１つのバナーがサイドエッジで当該フック・ループ帯体に固定可能である。この構成は、特にフック・ループ帯体が引っ付くことが可能な粗さをバナーの布地が有する場合に、追加の手段なしで実現可能であり得る。極めて高い信頼性の脱着可能な接続として、少なくとも１つのバナーは、一つのサイドエッジに、所与の頭部装着物での保持手段におけるフック・ループ帯体と係合可能な、相手となるさらなるフック・ループ帯体を有し得る。この実施形態は、外れるのに必要な引張力の数値をそれらフック・ループ帯体及び対となるフック・ループ帯体の選択によって予め定めることができて、特に、外れるのに必要な引張力の数値を対象の頭部装着物の種類及び所望の目的に合わせることができるというさらなる利点を奏する。
【００１８】
本発明の有利なさらなる実施形態では、少なくとも１つの保持棒（Haltestab）が延長可能である。このような棒は、例えば、延長棒（Erweiterungsstab）の取付によって延長可能とされる。極めて有利な一実施形態において、前記少なくとも１つの保持棒は、入れ子式（teleskopartig）に延長可能である。結果として、取り付けられたバナーの可視性がさらに向上し、特に、個人間で身長が異なる場合に帯の縁部の高さを調節することが可能となる。
【００１９】
ほぼ全ての種類の頭部装着物が、本発明にかかる配置体と共に使用可能である。しかも、多種多様なデザイン及び実施形態のバナーが可能であると共に、頭部装着物への様々な種類の取付タイプも可能である。以下では、前述の内容を、あくまでも例示に過ぎないが、ひさし付きキャップ、ヘッドバンド（Stirnbaendern）およびシリンダーハット(Zylindern)の例に基づいて説明する。このように、本発明および本発明の有利なさらなる実施形態を、下記の図に示す例的な実施形態を参照しながら詳細に説明する。
【図面の簡単な説明】
【００２０】
【図１】本発明に従ってバナーにより連結された、頭部装着物としての２つのひさし付きキャップからなる例示的な配置体を示す図である。
【図２】本発明に従って星形の配置でバナーにより連結されており、かつ、当該バナーの保持手段として頭部装着物のうちの最も高い場所にそれぞれ取り付けられた保持棒を備えている、頭部装着物としての５つのひさし付きキャップからなる例示的な配置体を示す図である。
【図３】例えば２つのひさし付きキャップを備えており、かつ、バナーの保持手段として各頭部装着物の外側へと耳領域でそれぞれ取り付けられた保持棒を備えている、鎖状に配置された(kettenartigen Anordnung)配置体の詳細を示す図である。
【図４】頭部装着物として例えば２つのヘッドバンドを備えており、かつ、バナーの保持手段として各頭部装着物の外側へと耳領域でそれぞれ取り付けられた保持棒を備えている、鎖状に配置された配置体の詳細を示す図である。
【図５】頭部装着物として例えば２つのひさし付きキャップを備えており、かつ、バナーの保持手段として各頭部装着物のうちの最も高い場所にそれぞれ取り付けられた保持棒を備えており、かつ、当該保持棒がバナーの端部を自動的に巻き付ける器具(Vorrichtung)を有している、鎖状に配置された配置体の詳細を示す図である。
【図６】頭部装着物として例えば２つのシリンダーハットを備えており、かつ、それらのシリンダー側面がバナーの保持手段及びさらなる巻付領域として機能する、鎖状に配置された配置体の詳細を示す図である。
【図７】例えば２つのひさし付きキャップを備えており、かつ、バナーの保持手段として各頭部装着物の外側へと耳領域でそれぞれ取り付けられた保持棒を備えており、かつ、当該保持棒が入れ子式に延長可能である、鎖状に配置された配置体の詳細を示す図である。
【発明を実施するための形態】
【００２１】
図１に、ひさしＫ１１ｄ，Ｋ１２ｄを有する、頭部装着物（Kopfbedeckungen）Ｋ１１，Ｋ１２としての２つのひさし付きキャップ(Schirmmuetzen)Ｋ１１ａ，Ｋ１２ａ（例えば、野球帽等の形態）で形成されたペアを備える、本発明に係る第１の例的な配置体を示す。これらは、２人の異なる人により装着されることが可能である。ひさし付きキャップＫ１１ａ，Ｋ１２ａは、本発明に従ってバナーＢ１により連結されている。好ましくは、バナーＢ１はバンド状に伸ばされる。ここで、図１では、バナーの布Ｂ１ｃのその時々の用途に特化したものとされる表面デザインが点々ハッチングにより示されている。
【００２２】
図１に示す例では、バナーＢ１を取り付けるための保持手段Ｋ１１ｃ，Ｋ１２ｃのそれぞれが、それぞれの頭部装着物Ｋ１１，Ｋ１２の外側Ｋ１１ｂ，Ｋ１２ｂに例えば耳領域等で配置されている。バナーＢ１は、当該バナーのサイドエッジＢ１ａ，Ｂ１ｂを介して保持手段Ｋ１１ｃ，Ｋ１２ｃへと恒久的に又は脱着可能に固定されており、例えば、フック・ループ帯体により固定されている。この場合、好ましくは、バナーＢ１は、弾性及び伸縮性を有する少なくとも１つの領域Ｂ１ｄを有する。他の実施形態では、バナーＢ１の布が、その広がりの全体にわたって弾性を有し得る。これにより、第三者がバナーに誤って引っかかったり、頭部装着物を装着している人間同士が互いから離れ過ぎたりした場合に、ひさし付きキャップが当該ひさし付きキャップを装着している人の頭部から引っ張り落とされるというリスクが減らされる。
【００２３】
図２に、星形の配置構造を形成するように本発明に従ってバナーＢ２１，Ｂ２２，Ｂ２３，Ｂ２４により連結された、頭部装着物Ｋ２１，Ｋ２２；Ｋ２３，Ｋ２４，Ｋ２５としての５つのひさし付きキャップＫ２１ａ，Ｋ２２ａ，Ｋ２３ａ，Ｋ２４ａ，Ｋ２５ａの例示的な配置体を示す。それにより、ひさし付きキャップＫ２１ａを装着している人が中央位置を取ることになり、頭部装着物としてのひさし付きキャップＫ２２ａ，Ｋ２３ａ，Ｋ２４ａ，Ｋ２５ａを装着している４人の人によって囲まれる。にもかかわらず、本発明にかかるこの配置体は、通例ではそれら５人の人に対して十分な局所移動性を提供する。バナーを相応に長くし且つ当該バナーを必要に応じて追加で伸縮性材料により構成されたものとすることにより、関わっている人間のこの移動性がさらに促進される。
【００２４】
図２に示す例では、好ましくは、保持棒が、バナーＢ２１，Ｂ２２，Ｂ２３，Ｂ２４の保持手段Ｋ２１ｂ，Ｋ２２ｂ，Ｋ２３ｂ，Ｋ２４ｂ，Ｋ２５ｂとして機能する。これらの保持棒は、各頭部装着物Ｋ２１，Ｋ２２，Ｋ２３，Ｋ２４，Ｋ２５の外側へと最も高い場所でそれぞれ取り付けられる。これにより、バナーＢ２１，Ｂ２２，Ｂ２３，Ｂ２４は、関わっている人が努力せずともはっきりと見えるように且つ最大限に高いところで恒久的に配置される。ここで、好ましくは、バナーのサイドエッジは、保持棒に差しこむことが可能なように実現され得る。これは、例えば、両側の端部に溝状のポケットが形成されるようにサイドエッジをめくり返してバナーの布に縫い付けることにより簡単に実現可能である。
【００２５】
保持棒Ｋ２１ｂ，Ｋ２２ｂ，Ｋ２３ｂ，Ｋ２４ｂ，Ｋ２５ｂは、ばね弾性的に曲げ可能とされ得る。これにより、負傷のリスクが減らされる。しかも、曲げ可能な実施形態は、バナーに許容できない大きな引張力が生じた場合に一方又は両方のポケット状のサイドエッジが頭部装着物上の曲げられた保持棒から簡単に外れることを可能にする。このような場合、通常、保持棒およびバナーはいずれも損傷していないので、そのバナーの端部を対応する保持棒へと再び取り付けることにより、本発明にかかる配置体が再度復元可能である。ここで、ばね弾性的に曲げ可能な保持棒は、例えばプラスチック、ゴム、曲げ可能な金属コイルばね等で構成され得る。
【００２６】
図３に、頭部装着物Ｋ３１，Ｋ３２として２つの例示的なひさし付きキャップＫ３１ａ，Ｋ３２ａを備える、鎖状の配置体の詳細を示す。ここでも、保持棒は、バナーＢ３１，Ｂ３２，Ｂ３３の保持手段Ｋ３１ｂ，Ｋ３２ｂとして機能する。前記サイドエッジは端部で保持棒に差し込まれる（aufsteckbar）ことが可能である。図３の例では、保持棒Ｋ３１ｂ，Ｋ３２ｂが、各ひさし付きキャップＫ３１ａ，Ｋ３２ａの外側へと耳領域でそれぞれ取り付けられている。
【００２７】
図４に、図５の配置体と類似する、鎖状配置のさらなる配置体を示す。一例として、２つのヘッドバンドＫ４１ａ，Ｋ４２ａが、頭部装着物Ｋ４１，Ｋ４２として用いられている。各ヘッドバンドＫ４１ａ，Ｋ４２ａの外側へと耳領域でそれぞれ取り付けられている保持棒が、バナーＢ４１，Ｂ４２，Ｂ４３の保持手段Ｋ４１ｂ，Ｋ４２ｂとして機能する。
【００２８】
図５に、頭部装着物Ｋ５１，Ｋ５２として例えば２つのひさし付きキャップＫ５１ａ，Ｋ５２ａを備える、鎖状配置のさらなる配置体の詳細を示す。ここでも、保持棒は、バナーＢ５１，Ｂ５２，Ｂ５３の保持手段Ｋ５１ｂ，Ｋ５２ｂとして機能する。これらの保持棒は、各頭部装着物Ｋ５１，Ｋ５２の外側へと最も高い場所でそれぞれ取り付けられている。本発明の有利なさらなる実施形態では、図５の例における２つの保持棒Ｋ５１ｂ，Ｋ５２ｂのそれぞれに、２つの巻付具（Aufwickelvorrichtungen）Ｋ５１ｃ，Ｋ５１ｄとＫ５２ｃ，Ｋ５２ｄが、一方が上に位置して他方が下に位置するように備え付けられている。これらの巻付具は、バナーＢ５１，Ｂ５３；Ｂ５１，Ｂ５２の端部を、例えば頭部装着物Ｋ５１，Ｋ５２を装着している人同士が互いに近付くこと等によってそれぞれのバナーの布の引張力が減少するや否や自動的に巻き付けることを可能にする。
【００２９】
図６に、頭部装着物Ｋ６１，Ｋ６２として例えば２つのシリンダーハットＫ６１ａ，Ｋ６２ａを備える、鎖状配置の配置体の詳細を示す。ここでは、シリンダーハットＫ６１ａ，Ｋ６２ａの外側のシリンダー側面Ｋ６１ｂ，Ｋ６２ｂが、バナーＢ６１，Ｂ６２，Ｂ６３の保持手段として機能する。具体的に述べると、シリンダーハットＫ６１ａのシリンダー側面Ｋ６１ｂには、バナーＢ６３の第２のサイドエッジＢ６３ｄのための第１の巻付領域Ｋ６１ｃと、その上にあるバナーＢ６１の第１のサイドエッジＢ６１ｃのための第２の巻付領域Ｋ６１ｄとが形成されている。同様に、シリンダーハットＫ６２ａのシリンダー側面Ｋ６２ｂには、バナーＢ６１の第２のサイドエッジＢ６１ｄのための第１の巻付領域Ｋ６２ｃと、その上にあるバナーＢ６２の第１のサイドエッジＢ６２ｃのための第２の巻付領域Ｋ６２ｄとが形成されている。端部をそれぞれのシリンダー側面回りに巻き付けることにより、対応するバナーの長さを簡単に調節することが可能である。
【００３０】
図７に、頭部装着物Ｋ３１，Ｋ３２として２つの例示的なひさし付きキャップＫ３１ａ，Ｋ３２ａを備える、例えば図３の実施形態等と類似する数珠繋がり状の配置体の詳細を示す。保持棒は、バナーＢ３１，Ｂ３２，Ｂ３３の保持手段Ｋ３１ｃ，Ｋ３２ｃとして機能し、かつ、前記サイドエッジに差し込まれることが可能であり得て、かつ、入れ子式に延長可能であり得る。図７の例では、保持棒Ｋ３１ｃ，Ｋ３２ｃが、各ひさし付きキャップＫ３１ａ，Ｋ３２ａの外側へと耳領域でそれぞれ取り付けられており、かつ、延長された位置で図示されている。
以下、本発明の実施態様を記す。
[態様１]
グループのメンバの頭部に装着される配置体であって、
ａ）２つのサイドエッジ（Ｂ１ａ，Ｂ１ｂ）を有する、少なくとも１つのバナー（Ｂ１）と、
ｂ）少なくとも２つの頭部装着物（Ｋ１１，Ｋ１２）であって、それぞれが、少なくとも１つの保持手段（Ｋ１１ｃ，Ｋ１２ｃ）を外側（Ｋ１１ｂ，Ｋ１２ｂ）に有しており、前記バナー（Ｂ１）は、個人により装着される当該頭部装着物（Ｋ１１，Ｋ１２）が当該バナー（Ｂ１）の布（Ｂ１ｃ）によって互いに接続されるように前記サイドエッジ（Ｂ１ａ，Ｂ１ｂ）を介して前記保持手段（Ｋ１１ｃ，Ｋ１２ｃ）へと固定可能である、少なくとも２つの頭部装着物（Ｋ１１，Ｋ１２）と、
を備える、配置体。
[態様２]
態様１に記載の配置体において、保持手段（Ｋ１１ｃ，Ｋ１２ｃ）は、前記バナー（Ｂ１）の前記布（Ｂ１ｃ）に過剰な引張力が生じた場合に当該バナー（Ｂ１）が対象の前記頭部装着物（Ｋ１１，Ｋ１２）から外れるように脱着可能である、配置体。
[態様３]
態様１または２に記載の配置体において、保持手段（Ｋ１１ｃ，Ｋ１２ｃ）は、少なくとも１つのバナー（Ｂ１）がサイドエッジ（Ｂ１ａ，Ｂ１ｂ）で固定されるフック・ループ帯体を有する、配置体。
[態様４]
態様３に記載の配置体において、バナー（Ｂ１）は、一つのサイドエッジ（Ｂ１ａ，Ｂ１ｂ）に、保持手段における前記フック・ループ帯体と係合する、相手方のフック・ループ帯体を有する、配置体。
[態様５]
態様１または２に記載の配置体において、保持手段は、頭部装着物（Ｋ２１，Ｋ２２，Ｋ２３，Ｋ２４，Ｋ２５）の外側に、保持棒（Ｋ２１ｂ，Ｋ２２ｂ，Ｋ２３ｂ，Ｋ２４ｂ，Ｋ２５ｂ）を有する、配置体。
[態様６]
態様５に記載の配置体において、保持棒は、頭部装着物の前記外側に脱着可能に取り付けられている、配置体。
[態様７]
態様５または６に記載の配置体において、保持棒は、頭部装着物（Ｋ２１，Ｋ２２，Ｋ２３，Ｋ２４，Ｋ２５）の前記外側へと略最も高い箇所に取り付けられている、配置体。
[態様８]
態様５または６に記載の配置体において、保持棒（Ｋ３１ｂ，Ｋ３２ｂ）は、頭部装着物（Ｋ３１，Ｋ３２）の前記外側へと略耳領域で取り付けられている、配置体。
[態様９]
態様５から８のいずれか一項に記載の配置体において、バナーのサイドエッジは、保持棒へと取り付けられることが可能であるように具現化されている、配置体。
[態様１０]
態様５から９のいずれか一項に記載の配置体において、保持棒は、ばね弾性的に曲げ可能な材料で構成されている、配置体。
[態様１１]
態様５から１０のいずれか一項に記載の配置体において、保持棒（Ｋ５１ｂ，Ｋ５２ｂ）は、巻付手段（Wickelmittel）（Ｋ５１ｃ，Ｋ５１ｄ；Ｋ５２ｃ，Ｋ５２ｄ）を有しており、当該巻付手段（Ｋ５１ｃ，Ｋ５１ｄ；Ｋ５２ｃ，Ｋ５２ｄ）により、バナー（Ｂ５１，Ｂ５２，Ｂ５３）の前記サイドエッジが、当該バナー（Ｂ５１，Ｂ５２，Ｂ５３）の前記布の引張力が減少した場合に自働的に巻かれる、配置体。
[態様１２]
態様５から１１のいずれか一項に記載の配置体において、少なくとも１つの保持棒（Ｋ３１，Ｋ３２ｃ）が延長可能である、配置体。
[態様１３]
態様１２に記載の配置体において、少なくとも１つの保持棒（Ｋ３１ｃ，Ｋ３２ｃ）は、入れ子式の棒である、配置体。
[態様１４]
態様１から１３のいずれか一項に記載の配置体において、バナー（Ｂ１）の前記布（Ｂ１ｃ）は、少なくとも１つの弾性的に伸縮可能な領域（Ｂ１ｄ）を有する、配置体。
[態様１５]
態様１から１４のいずれか一項に記載の配置体において、頭部装着物（Ｋ１１，Ｋ１２；Ｋ２１…２５；Ｋ３１，Ｋ３２；Ｋ５１，Ｋ５２）は、ひさし付きキャップ（Ｋ１１ａ，Ｋ１２ａ；Ｋ２１ａ…Ｋ２５ａ；Ｋ３１ａ，Ｋ３２ａ；Ｋ５１ａ，Ｋ５２ａ）の形態である、配置体。
[態様１６]
態様１から１４のいずれか一項に記載の配置体において、頭部装着物（Ｋ４１，Ｋ４２）は、ヘッドバンド（Ｋ４１ａ，Ｋ４２ａ）の形態である、配置体。
[態様１７]
態様１から１４のいずれか一項に記載の配置体において、頭部装着物（Ｋ６１，Ｋ６２）は、シリンダーハット（Ｋ６１ａ；Ｋ６１ｂ）の形態である、配置体。
[態様１８]
態様１７に記載の配置体において、シリンダーハット（Ｋ６１ａ；Ｋ６１ｂ）は、少なくとも１つの巻付領域（Ｋ６１ｃ，Ｋ６１ｄ；Ｋ６２ｃ，Ｋ６２ｄ）を有する側面（Ｋ６１ｂ，Ｋ６２ｂ）を有しており、前記少なくとも１つの巻付領域（Ｋ６１ｃ，Ｋ６１ｄ；Ｋ６２ｃ，Ｋ６２ｄ）回りに、少なくとも１つのバナー（Ｂ６１，Ｂ６２，Ｂ６３）の前記サイドエッジが導かれる、配置体。 
【符号の説明】
【００３１】
Ｋ１１，Ｋ１２    頭部装着物
Ｋ１１ａ，Ｋ１２ａ    ひさし付きキャップ
Ｋ１１ｂ，Ｋ１２ｂ    外側（例えば、耳領域等）
Ｋ１１ｃ，Ｋ１２ｃ    保持手段（例えば、フック・ループ帯体を有する布片等）
Ｋ１１ｄ，Ｋ１２ｄ    ひさし
Ｂ１    バナー
Ｂ１ａ，Ｂ１ｂ    サイドエッジ
Ｂ１ｃ    バナーの布（特に、帯状に延ばされているもの）
Ｂ１ｄ    弾性及び伸縮性を有する領域
Ｋ２１，Ｋ２２；Ｋ２３，Ｋ２４，Ｋ２５    頭部装着物
Ｋ２１ａ，Ｋ２２ａ，Ｋ２３ａ，Ｋ２４ａ，Ｋ２５ａ    ひさし付きキャップ
Ｋ２１ｂ，Ｋ２２ｂ，Ｋ２３ｂ，Ｋ２４ｂ，Ｋ２５ｂ    保持手段（例えば、曲げ可能な保持棒等）
Ｂ２１，Ｂ２２，Ｂ２３，Ｂ２４    バナー
Ｋ３１，Ｋ３２    頭部装着物
Ｋ３１ａ，Ｋ３２ａ    ひさし付きキャップ
Ｋ３１ｂ，Ｋ３２ｂ    保持手段（例えば、曲げ可能な保持棒等）
Ｋ３１ｃ，Ｋ３２ｃ    保持手段（例えば、入れ子式の棒等）
Ｂ３１，Ｂ３２，Ｂ３３    バナー
Ｋ４１，Ｋ４２    頭部装着物
Ｋ４１ａ，Ｋ４２ａ    ヘッドバンド
Ｋ４１ｂ，Ｋ４２ｂ    保持手段（例えば、曲げ可能な保持棒等）
Ｂ４１、Ｂ４２，Ｂ４３    バナー
Ｋ５１，Ｋ５２    頭部装着物
Ｋ５１ａ，Ｋ５２ａ    ひさし付きキャップ
Ｋ５１ｂ，Ｋ５２ｂ    保持手段（例えば、曲げ可能な保持棒等）
Ｋ５１ｃ，Ｋ５１ｄ    第１、第２の巻付具
Ｋ５２ｃ，Ｋ５２ｄ    第１、第２の巻付具
Ｂ５１，Ｂ５２，Ｂ５３    バナー
Ｋ６１，Ｋ６２    頭部装着物
Ｋ６１ａ，Ｋ６２ａ    シリンダーハット
Ｋ６１ｂ，Ｋ６２ｂ    外側としてのシリンダー側面
Ｋ６１ｃ，Ｋ６１ｄ    サイドエッジのための第１、第２の巻付領域
Ｋ６２ｃ，Ｋ６２ｄ    サイドエッジのための第１、第２の巻付領域
Ｂ６１，Ｂ６２，Ｂ６３    バナー
Ｂ６１ｃ，Ｂ６１ｄ    第１、第２のサイドエッジ
Ｂ６２ｃ    第１のサイドエッジ
Ｂ６３ｄ    第２のサイドエッジ                                                                               
【図１】
0006571175.tif 000002
【図２】
0006571175.tif 000003
【図３】
0006571175.tif 000004
【図４】
0006571175.tif 000005
【図５】
0006571175.tif 000006
【図６】
0006571175.tif 000007
【図７】
0006571175.tif 000008